(57)【要約】  【課題】  画鋲を用いてカレンダーなどの吊り紐を固定する際に、吊り紐が長手方向に移動しないように固定しつつ、画鋲の固定力を確保することを課題とする。  【解決手段】  針の基端側に棒状のつまみ部が設けられる画鋲において、前記つまみ部の側面に、紐体を挟持固定することができる挟持部を設ける。このような構成により、吊り紐を挟持部によ挟持固定することで吊り紐を長手方向に移動しないように固定しつつ、画鋲の針を根元まで差し込んでしっかりと固定することができる。【選択図】  図１
2006315208.tif 000002
【特許請求の範囲】
【請求項１】
針の基端側に棒状のつまみ部が設けられる画鋲において、
前記つまみ部の側面に設けられる、紐体を挟持固定することができる挟持部を有する画鋲。
【請求項２】
前記挟持部は前記つまみ部に一端が固定された弾性体により形成される板状体もしくは棒状体である請求項１に記載の画鋲。
【請求項３】
前記挟持部は、前記つまみ部に一端が回動自在に固定された板状体もしくは棒状体であって他端に前記つまみ部の一部に係合する係合部が形成される請求項１に記載の画鋲。
【発明の詳細な説明】
【技術分野】
【０００１】
本発明は画鋲に関し、特に、カレンダーなどの吊下げ紐を掛けるのに好適な画鋲に関する。
【背景技術】
【０００２】
従来、吊り紐を有するカレンダーや額などを画鋲を用いて壁面に吊下げる場合、紐が長手方向に移動しないように画鋲のフランジ部分と壁面との間に吊下げ紐を挟んで画鋲を押し付けることで、吊下げ紐をフランジ部と壁面の間で挟持して固定することが一般的である。
【発明の開示】
【発明が解決しようとする課題】
【０００３】
しかし、このように固定すると、フランジ部と壁面の間に紐の分だけ距離が生じ、それだけ針が壁面に深く入らないので、画鋲の固定する力が弱くなってしまう。このために、吊下げる対象物が揺れたり、引っ張られたりすると比較的簡単に画鋲が壁面から外れてしまうことも多い。
本発明はこのような問題に鑑み、画鋲を用いてカレンダーなどの吊り紐を固定する際に、吊り紐が長手方向に移動しないように固定しつつ、画鋲の固定力を確保することを課題とする。
【課題を解決するための手段】
【０００４】
上記課題を解決するために、本発明は次のような構成を有する。
請求項１に記載の発明は、針の基端側に棒状のつまみ部が設けられる画鋲において、
前記つまみ部の側面に設けられる、紐体を挟持固定することができる挟持部を有する画鋲である。
請求項２に記載の発明は、請求項１に記載の画鋲において、前記挟持部を前記つまみ部に一端が固定された弾性体により形成される板状体もしくは棒状体としたものである。
請求項３に記載の発明は、請求項１に記載の画鋲において、前記挟持部は、前記つまみ部に一端が回動自在に固定された板状体もしくは棒状体であって他端に前記つまみ部の一部に係合する係合部が形成されるものである。
【発明の効果】
【０００５】
請求項１に記載の発明は、吊り紐を挟持固定する挟持部を画鋲のつまみ部の側面に設けたので、吊り紐を長手方向に移動しないように固定しつつ、画鋲の針を根元まで差し込んでしっかりと固定することができる。
請求項２に記載の発明は、挟持部を弾性力のある板状体としたので、固定する紐の太さに応じて柔軟に挟持幅が変わり、種々の紐に対応することができる。
請求項３に記載の発明は、前記挟持部を前記つまみ部に対して一端が回動固定され、他端が係合固定される板状体もしくは棒状体としたので、固定される紐は回動固定される部分と係合固定される部分の間に位置することになり、紐がつまみ部の長手方向に摺動してもこれらの部分に規制され、画鋲から落下しにくくなる。
【発明を実施するための最良の形態】
【０００６】
以下、本発明の実施形態について、図面を参照しながら説明する。
（実施形態１）
図１に、実施形態１に係る画鋲Ｘの斜視図を示し、図２に画鋲Ｘの側面図を示す。画鋲Ｘは針１０、針１０の基端を固定するフランジ部２０、フランジ部２０の背面から延びる棒状のつまみ部３０、つまみ部３０の側面に設けられる挟持部４０とから構成される。針１０は鋼製であり、その他の部分は弾性を有する合成樹脂により一体に形成される。
フランジ部２０はやや厚みのある円盤形状をしており、つまみ部３０は開放端側に外径のやや大きな円盤状の張り出し部分が設けられたフランジ部２０の外径よりも小さな外径を有する、ほぼ側面を長手方向に切り取ったような平面部を有する円柱の形状をしている。
つまみ部３０の平面部のある側面は、断面視かまぼこ状の板状部分を先端側のみを残して分離したような形状が形成され、この板状部分が挟持部４０を構成する。挟持部４０とつまみ部３０との距離は、先端側に向って楔状に狭くなっており、先端側に向うほど挟持力が強くなる。
【０００７】
次に、このような構成を有する画鋲Ｘの使用方法について説明する。使用者は、まず、カレンダーなどを吊り紐により固定したい壁面に画鋲Ｘの針１０をフランジ部２０が壁面に接するまで押し込み、画鋲Ｘを壁面に固定する。この際、挟持部４０が上方に位置するようにしておく。次に、カレンダー等の吊り紐を左右のバランスを取って、挟持部４０とつまみ部３０との間の空間へ押し入れる。挟持部４０は弾性力のある合成樹脂性であるので、このような動作により、挟持部４０はややつまみ部３０から離れる方向へ開き、弾性力により吊り紐の側面をつまみ部３０へ押し付けるように挟持し固定する。これにより、カレンダー等の吊り紐は長手方向にずれることなく、また、画鋲Ｘも壁面にしっかりと固定できることになる。
【０００８】
（実施形態２）
図３に、実施形態２に係る画鋲Ｙの斜視図を示し、図４（ａ）に画鋲Ｙの側面図を示す。画鋲Ｙは針１０、針１０の基端を固定するフランジ部２０、フランジ部２０の背面から延びる棒状のつまみ部５０、つまみ部５０の側面に設けられる挟持部６０とから構成される。針部１０は鋼製であり、フランジ部２０とつまみ部５０は合成樹脂により一体に形成される。フランジ部２０はやや厚みのある円盤形状をしている。
つまみ部５０は、フランジ部２０の外径よりも小さな外径をもつほぼ半円柱の形状をしており、開放端側には張り出し部５１が設けられている。この張り出し部５１のつまみ部５０の平らな側面に対向する裏面側も平らに形成されており、この部分が後述する挟持部６０の係合部６２に係合する被係合部５１ａを形成する。
挟持部６０は、弾性のある細長い鋼板により形成されつまみ部５０の平らな側面に主表面が向うように位置づけられている。そして、フランジ部２０側の一端には両側に舌部６１が設けられ、この舌部６１がつまみ部５０に回動可能に固定されている。そして、挟持部６０の他端側はつまみ部５０の端部にほぼ一致する位置でつまみ部５０側に折り曲げられ、さらに、前記つまみ部５０の張り出し部５１に形成される被係合部５１ａに一致する部分でさらにフランジ２０側へ曲げられている。このフランジ２０側に曲げられた部分の長さは、弾性変形によりはずすことができる程度に設定されており、この部分が前記つまみ部５０の被係合部５１ａに係合する係合部６２を構成する。
【０００９】
次に、このような構成を有する画鋲Ｙの使用方法について説明する。使用者は、まず、カレンダーなどを吊り紐により固定したい壁面に画鋲Ｙの針１０をフランジ部２０が壁面に接するまで押し込み、画鋲Ｘを壁面に固定する。この際、挟持部６０が上方に位置するようにしておく。次に、挟持部６０の係合部６２をつまみ部５０の被係合部５１ａからはずして、挟持部６０をフランジ部２０側へ回動させ図４（ｂ）に示すような状態にする。次に、カレンダー等の吊り紐を左右のバランスを取って、つまみ部３０の平らな面に引っ掛ける。その後、挟持部６０をつまみ部５０の張り出し部５１側へ回動させて吊り紐を挟持し、さらに、挟持部６０の係合部６２を張り出し部５１の被係合部５１ａに係合させて挟持部６０を固定する。これにより、やはり、カレンダー等の吊り紐は長手方向にずれることなく、また、画鋲Ｙも壁面にしっかりと固定できることになる。
【図面の簡単な説明】
【００１０】
【図１】実施形態１に係る画鋲の斜視図である。
【図２】実施形態１に係る画鋲の側面図である。
【図３】実施形態２に係る画鋲の斜視図である。
【図４】（ａ）は実施形態２に係る画鋲の側面図であり、（ｂ）は実施形態２に係る画鋲の挟持部を開いた状態を示す側面図である。
【符号の説明】
【００１１】
Ｘ、Ｙ  画鋲
１０    針
２０    フランジ部
３０、５０  つまみ部
４０、６０  挟持部
６１    係合部
【図１】
2006315208.tif 000003
【図２】
2006315208.tif 000004
【図３】
2006315208.tif 000005
【図４】
2006315208.tif 000006